(57)【要約】【課題】Ｄ２Ｄ通信による干渉を抑制すること。【解決手段】無線通信装置は、基地局装置を介するセルラ通信で定められた非通信期間のうち、基地局装置を介さない装置間通信が許可された期間を示す許可情報を受信する受信部と、前記受信部によって受信された許可情報に基づいて、前記装置間通信が許可された期間が到来したか否かを判定する判定部と、前記判定部による判定の結果、前記装置間通信が許可された期間が到来した場合に、前記装置間通信を実行する装置間通信部とを有する。【選択図】図５
2018038013.tif 000002
【特許請求の範囲】
【請求項１】
基地局装置を介するセルラ通信で定められた非通信期間のうち、基地局装置を介さない装置間通信が許可された期間を示す許可情報を受信する受信部と、
前記受信部によって受信された許可情報に基づいて、前記装置間通信が許可された期間が到来したか否かを判定する判定部と、
前記判定部による判定の結果、前記装置間通信が許可された期間が到来した場合に、前記装置間通信を実行する装置間通信部と
を有することを特徴とする無線通信装置。
【請求項２】
前記装置間通信の開始を要求する要求情報を送信する送信部をさらに有し、
前記受信部は、
前記送信部によって送信された要求情報に対する応答として前記許可情報を受信する
ことを特徴とする請求項１記載の無線通信装置。
【請求項３】
前記送信部は、
セルラ通信によって基地局装置へ前記要求情報を送信することを特徴とする請求項２記載の無線通信装置。
【請求項４】
前記受信部は、
前記装置間通信に用いられる周波数帯の情報を含む許可情報を受信し、
前記装置間通信部は、
前記受信部によって受信された許可情報で指定される周波数帯を用いて前記装置間通信を実行する
ことを特徴とする請求項１記載の無線通信装置。
【請求項５】
自装置を介さずに他の無線通信装置が直接無線通信する装置間通信の開始を要求する要求情報を受信する受信部と、
前記受信部によって受信された要求情報に応じて、自装置を介して他の無線通信装置が無線通信するセルラ通信で定められた非通信期間のうち、前記装置間通信を許可する期間を決定する決定部と、
前記決定部によって決定された期間を示す許可情報を送信する送信部と
を有することを特徴とする無線通信装置。
【請求項６】
基地局装置を介するセルラ通信で定められた非通信期間のうち、基地局装置を介さない装置間通信が許可された期間を示す許可情報を受信し、
受信された許可情報に基づいて、前記装置間通信が許可された期間が到来したか否かを判定し、
判定の結果、前記装置間通信が許可された期間が到来した場合に、前記装置間通信を実行する
処理を有することを特徴とする通信制御方法。
【発明の詳細な説明】
【技術分野】
【０００１】
本発明は、無線通信装置及び通信制御方法に関する。
【背景技術】
【０００２】
近年、無線通信システムに関する標準化団体である３ＧＰＰ（Third  Generation  Partnership  Project）では、Ｄ２Ｄ（Device  to  Device）通信に関する検討が行われている。Ｄ２Ｄ通信は、無線端末装置が、基地局装置を介さずに他の無線端末装置と通信する端末間通信であり、例えば災害時などの非常通信手段としても有用であると考えられている。
【０００３】
Ｄ２Ｄ通信には、ネットワークアシスト方式を採用するものがある。ネットワークアシスト方式のＤ２Ｄ通信では、無線端末装置は、Ｄ２Ｄ通信において利用されるリソースの情報を基地局装置から取得する。すなわち、無線端末装置は、セルラ通信のネットワークからの補助を受けてＤ２Ｄ通信を実行する。具体的には、無線端末装置は、例えばＤ２Ｄ通信に用いられる周波数帯などの通信モードの情報や、送信電力及びセキュリティに関する情報を基地局装置から取得する。そして、無線端末装置は、基地局装置から取得された情報に基づいて、他の無線端末装置と直接無線通信する。
【先行技術文献】
【特許文献】
【０００４】
【特許文献１】特開２０１５−１９１７８号公報
【特許文献２】特開２０１３−２２３１９２号公報
【発明の概要】
【発明が解決しようとする課題】
【０００５】
しかしながら、Ｄ２Ｄ通信とセルラ通信とで同一の周波数帯が用いられる場合には、両通信間で干渉が発生するという問題がある。すなわち、基地局装置を介するセルラ通信で用いられる周波数帯と同一の周波数帯が、Ｄ２Ｄ通信に用いられる周波数帯として指定された場合、Ｄ２Ｄ通信を実行する無線端末装置とセルラ通信を実行する他の無線端末装置との間で干渉が発生する。
【０００６】
このような干渉を回避するために、基地局装置がＤ２Ｄ通信の通信モードや送信電力をきめ細かく制御することも考えられる。しかし、このような制御が行われる場合には、基地局装置の処理が複雑化し、コストが増大してしまう。
【０００７】
開示の技術は、かかる点に鑑みてなされたものであって、Ｄ２Ｄ通信による干渉を抑制することができる無線通信装置及び通信制御方法を提供することを目的とする。
【課題を解決するための手段】
【０００８】
本願が開示する無線通信装置は、１つの態様において、基地局装置を介するセルラ通信で定められた非通信期間のうち、基地局装置を介さない装置間通信が許可された期間を示す許可情報を受信する受信部と、前記受信部によって受信された許可情報に基づいて、前記装置間通信が許可された期間が到来したか否かを判定する判定部と、前記判定部による判定の結果、前記装置間通信が許可された期間が到来した場合に、前記装置間通信を実行する装置間通信部とを有する。
【発明の効果】
【０００９】
本願が開示する無線通信装置及び通信制御方法の１つの態様によれば、Ｄ２Ｄ通信による干渉を抑制することができるという効果を奏する。
【図面の簡単な説明】
【００１０】
【図１】図１は、一実施の形態に係る無線通信システムの構成を示す図である。
【図２】図２は、一実施の形態に係る基地局装置の構成を示すブロック図である。
【図３】図３は、サブフレーム配置の具体例を示す図である。
【図４】図４は、フレーム構成の具体例を示す図である。
【図５】図５は、一実施の形態に係る無線端末装置の構成を示すブロック図である。
【図６】図６は、一実施の形態に係る無線通信方法を示すシーケンス図である。
【図７】図７は、一実施の形態に係る通信制御方法を示すフロー図である。
【発明を実施するための形態】
【００１１】
以下、本願が開示する無線通信装置及び通信制御方法の一実施の形態について、図面を参照して詳細に説明する。なお、この実施の形態により本発明が限定されるものではない。
【００１２】
図１は、一実施の形態に係る無線通信システムの構成を示す図である。図１に示す無線通信システムは、基地局装置１００と無線端末装置２００ａ、２００ｂとを有する。基地局装置１００及び無線端末装置２００ａ、２００ｂは、いずれも無線通信を実行する無線通信装置である。なお、図１においては、２つの無線端末装置２００ａ、２００ｂを図示しているが、３つ以上の無線端末装置が基地局装置１００と通信可能な範囲内にあっても良い。また、以下においては、無線端末装置２００ａ、２００ｂを特に区別する場合を除いて、基地局装置１００と通信する無線端末装置を無線端末装置２００という。
【００１３】
基地局装置１００は、無線端末装置２００との間でセルラ通信を実行する。すなわち、基地局装置１００は、ネットワークにおいて規定された無線通信方式に従って、無線端末装置２００との間で信号を送受信する。具体的には、基地局装置１００は、例えば上り回線及び下り回線が時分割多重されたＴＤＤ（Time  Division  Duplex）を採用する無線通信システムにおいて、上り回線に割り当てられた時間では信号を受信し、下り回線に割り当てられた時間では信号を送信する。
【００１４】
また、基地局装置１００は、無線端末装置２００からＤ２Ｄ通信の要求を受け付け、Ｄ２Ｄ通信に用いられる周波数帯などの通信モードの情報や、送信電力及びセキュリティに関する情報を無線端末装置２００に通知する。このとき、基地局装置１００は、セルラ通信において上下回線いずれの通信も実行されない非通信期間であるガードピリオド（ＧＰ：Guard  Period）の中から、要求されたＤ２Ｄ通信に割り当てるＧＰを決定し、決定したＧＰでのＤ２Ｄ通信を許可する許可情報を送信する。
【００１５】
無線端末装置２００ａ、２００ｂは、基地局装置１００との間でセルラ通信を実行するとともに、互いに基地局装置１００を介さずにＤ２Ｄ通信を実行する。無線端末装置２００は、Ｄ２Ｄ通信を実行する際には、Ｄ２Ｄ通信の開始を要求するＤ２Ｄ要求を基地局装置１００へ送信する。そして、無線端末装置２００は、Ｄ２Ｄ要求に応じて基地局装置１００から指定された通信モード及び送信電力によってＤ２Ｄ通信を実行する。このとき、無線端末装置２００は、基地局装置１００から許可情報を受信し、Ｄ２Ｄ通信が許可されたＧＰにおいてＤ２Ｄ通信を実行するように、Ｄ２Ｄ通信のタイミングを制御する。
【００１６】
図２は、一実施の形態に係る基地局装置１００の構成を示すブロック図である。図２に示す基地局装置１００は、ネットワークインタフェース（以下「ネットワークＩ／Ｆ」と略記する）１１０、プロセッサ１２０、メモリ１３０及び無線通信部１４０を有する。
【００１７】
ネットワークＩ／Ｆ１１０は、図示しない上位局と有線で接続され、ネットワークとの間で信号を送受信する。ネットワークＩ／Ｆ１１０が接続するネットワークは、セルラ通信のシステムを含むネットワークであり、さらに例えばインターネットのサーバなどを含んでいても良い。
【００１８】
プロセッサ１２０は、例えばＣＰＵ（Central  Processing  Unit）、ＦＰＧＡ（Field  Programmable  Gate  Array）又はＤＳＰ（Digital  Signal  Processor）などを備え、基地局装置１００全体を統括制御する。具体的には、プロセッサ１２０は、通信制御部１２１、Ｄ２Ｄ要求取得部１２２、ＧＰ決定部１２３及び許可情報生成部１２４を有する。
【００１９】
通信制御部１２１は、無線端末装置２００との間のセルラ通信を制御する。すなわち、通信制御部１２１は、無線端末装置２００宛ての送信データを符号化及び変調して送信信号を生成し、無線通信部１４０へ出力する。また、通信制御部１２１は、無線通信部１４０によって受信された受信信号を復調及び復号して、受信データを得る。受信データの中には、無線端末装置２００によって送信された、Ｄ２Ｄ通信の開始の要求又は終了の通知などが含まれる。
【００２０】
Ｄ２Ｄ要求取得部１２２は、無線端末装置２００から送信されたＤ２Ｄ要求を取得する。無線端末装置２００は、Ｄ２Ｄ通信の開始を要求する際に、セルラ通信によってＤ２Ｄ要求を基地局装置１００へ送信するため、Ｄ２Ｄ要求取得部１２２は、セルラ通信の受信データからＤ２Ｄ要求を取得する。
【００２１】
ＧＰ決定部１２３は、Ｄ２Ｄ要求取得部１２２によってＤ２Ｄ要求が取得されると、Ｄ２Ｄ要求の送信元の無線端末装置２００によるＤ２Ｄ通信に対して割り当てるガードピリオド（ＧＰ）を決定する。すなわち、ＧＰ決定部１２３は、セルラ通信の上下回線いずれの無線通信も実行されない非通信期間であるＧＰのうち、無線端末装置２００によるＤ２Ｄ通信を許可するＧＰを決定する。
【００２２】
ここで、ＴＤＤを採用するセルラ通信におけるＧＰについて説明しておく。ＴＤＤを採用するセルラ通信においては、上り回線及び下り回線が時分割多重される。具体的には、例えば所定の時間単位であるフレーム内に複数のサブフレームが配置され、それぞれのサブフレームが上り回線又は下り回線に割り当てられる。
【００２３】
図３は、フレーム内のサブフレーム配置の具体例を示す図である。図３においては、１０ｍｓの１フレーム内にそれぞれ１ｍｓのサブフレームが１０個配置され、それぞれのサブフレームに、図中「Ｄ」で示す下り回線又は図中「Ｕ」で示す上り回線が割り当てられる例を示している。また、図中「Ｓ」で示すサブフレームはスペシャルサブフレームであり、部分的に下り回線及び上り回線が割り当てられるとともに、下り回線及び上り回線の間にガードピリオドを有するサブフレームである。すなわち、スペシャルサブフレームは、下り回線から上り回線へ切り替わる境界のサブフレームであり、図３においては、構成番号０〜６の７種類の配置例が示されているが、いずれの配置例においても、スペシャルサブフレームが５ｍｓ又は１０ｍｓ周期で配置される。換言すれば、下り回線から上り回線に切り替わるスイッチポイント周期は、５ｍｓ又は１０ｍｓである。
【００２４】
図４は、フレーム構成の具体例を示す図である。図４に示すように、サブフレーム３０１が下り回線（Ｄ）に割り当てられたサブフレームであり、サブフレーム３０３が上り回線（Ｕ）に割り当てられたサブフレームである場合、境界のサブフレーム３０２はスペシャルサブフレームとなる。そして、サブフレーム３０２の先頭部分には下り回線（Ｄ）が割り当てられ、末尾部分には上り回線（Ｕ）が割り当てられる。さらに、サブフレーム３０２の先頭部分及び末尾部分に挟まれる時間は、下り回線及び上り回線のいずれも割り当てられないガードピリオド（ＧＰ）となる。つまり、ＴＤＤのフレーム構成において、周期的に配置されるスペシャルサブフレームには、セルラ通信の非通信期間であるＧＰが設けられる。
【００２５】
このように、周期的に配置されるスペシャルサブフレームにＧＰが設けられるため、ＧＰ決定部１２３は、スペシャルサブフレームのＧＰのうち、Ｄ２Ｄ要求の送信元の無線端末装置２００によるＤ２Ｄ通信を許可するＧＰを決定する。
【００２６】
図２に戻って、許可情報生成部１２４は、ＧＰ決定部１２３によって決定されたＧＰを示す許可情報を生成する。すなわち、許可情報生成部１２４は、無線端末装置２００によるＤ２Ｄ通信が許可されるＧＰを示す許可情報を生成する。許可情報生成部１２４は、Ｄ２Ｄ通信に用いられる周波数帯、送信電力及びセキュリティに関する情報などをさらに許可情報に含めても良い。そして、許可情報生成部１２４は、生成した許可情報を無線通信部１４０経由で無線端末装置２００へ送信する。
【００２７】
メモリ１３０は、例えばＲＡＭ（Random  Access  Memory）又はＲＯＭ（Read  Only  Memory）などを備え、プロセッサ１２０によって処理が実行される際に、種々の情報を記憶する。メモリ１３０は、例えばセルラ通信におけるサブフレーム配置の情報などを一時的に記憶する。
【００２８】
無線通信部１４０は、通信制御部１２１から出力される送信信号に対して、例えばＤ／Ａ（Digital/Analog）変換及びアップコンバートなどの無線送信処理を施し、アンテナを介して送信する。また、無線通信部１４０は、アンテナを介して受信する受信信号に対して、例えばダウンコンバート及びＡ／Ｄ（Analog/Digital）変換などの無線受信処理を施し、通信制御部１２１へ出力する。さらに、無線通信部１４０は、許可情報生成部１２４によって生成された許可情報に対して無線送信処理を施し、アンテナを介して送信する。なお、ＴＤＤを採用する無線通信システムにおいては、無線通信部１４０は、下り回線に割り当てられたサブフレームにおいて信号を送信し、上り回線に割り当てられたサブフレームにおいて信号を受信する。
【００２９】
図５は、一実施の形態に係る無線端末装置２００の構成を示すブロック図である。図５に示す無線端末装置２００は、無線通信部２１０、プロセッサ２２０、メモリ２３０及びＤ２Ｄ通信部２４０を有する。
【００３０】
無線通信部２１０は、セルラ通信によって基地局装置１００と無線通信する。すなわち、無線通信部２１０は、基地局装置１００から送信された信号を受信し、受信信号に対して、例えばダウンコンバート及びＡ／Ｄ変換などの無線受信処理を施し、プロセッサ２２０へ出力する。また、無線通信部２１０は、プロセッサ２２０から出力される送信信号に対して、例えばＤ／Ａ変換及びアップコンバートなどの無線送信処理を施し、アンテナを介して送信する。なお、ＴＤＤを採用する無線通信システムにおいては、無線通信部２１０は、上り回線に割り当てられたサブフレームにおいて信号を送信し、下り回線に割り当てられたサブフレームにおいて信号を受信する。
【００３１】
プロセッサ２２０は、例えばＣＰＵ、ＦＰＧＡ又はＤＳＰなどを備え、無線端末装置２００全体を統括制御する。具体的には、プロセッサ２２０は、Ｄ２Ｄ要求生成部２２１、通信制御部２２２、許可情報取得部２２３及びタイミング制御部２２４を有する。
【００３２】
Ｄ２Ｄ要求生成部２２１は、例えばユーザの操作やアプリケーションからの指示によりＤ２Ｄ通信の開始が要求される場合に、その旨を示すＤ２Ｄ要求を生成する。そして、Ｄ２Ｄ要求生成部２２１は、生成したＤ２Ｄ要求を通信制御部２２２へ出力する。
【００３３】
通信制御部２２２は、基地局装置１００との間のセルラ通信を制御する。すなわち、通信制御部２２２は、基地局装置１００宛ての送信データを符号化及び変調して送信信号を生成し、無線通信部２１０へ出力する。送信データの中には、Ｄ２Ｄ要求生成部２２１によって生成されたＤ２Ｄ要求などが含まれる。また、通信制御部２２２は、無線通信部２１０によって受信された受信信号を復調及び復号して、受信データを得る。受信データの中には、基地局装置１００によって送信された、許可情報などが含まれる。
【００３４】
許可情報取得部２２３は、基地局装置１００から送信された許可情報を取得する。上述したように、基地局装置１００は、Ｄ２Ｄ要求に対する応答として、Ｄ２Ｄ通信が許可されるＧＰを示す許可情報をセルラ通信によって送信するため、許可情報取得部２２３は、セルラ通信の受信データから許可情報を取得する。
【００３５】
タイミング制御部２２４は、許可情報取得部２２３によって取得された許可情報に基づいて、Ｄ２Ｄ通信のタイミングを制御する。具体的には、タイミング制御部２２４は、セルラ通信におけるサブフレーム配置から、ＧＰが含まれるスペシャルサブフレームを特定する。そして、タイミング制御部２２４は、特定したスペシャルサブフレームのＧＰのうち、許可情報によってＤ２Ｄ通信が許可されたＧＰが到来したタイミングでＤ２Ｄ通信を実行するようにＤ２Ｄ通信部２４０へ指示する。すなわち、許可情報は、周期的に配置されるスペシャルサブフレームのＧＰのうち、無線端末装置２００によるＤ２Ｄ通信が許可されたＧＰを示しているため、タイミング制御部２２４は、許可情報が示すＧＰにおいてＤ２Ｄ通信が実行されるように制御する。
【００３６】
メモリ２３０は、例えばＲＡＭ又はＲＯＭなどを備え、プロセッサ２２０によって処理が実行される際に、種々の情報を記憶する。メモリ２３０は、例えばセルラ通信におけるサブフレーム配置の情報や、許可情報などを一時的に記憶する。
【００３７】
Ｄ２Ｄ通信部２４０は、タイミング制御部２２４からの指示に従って、Ｄ２Ｄ通信を実行する。すなわち、Ｄ２Ｄ通信部２４０は、許可情報によって許可されたＧＰのタイミングで、基地局装置１００を介さないＤ２Ｄ通信を実行する。ＧＰのタイミングでは、いずれの無線端末装置２００もセルラ通信を実行しないため、Ｄ２Ｄ通信によるセルラ通信への干渉が発生することはない。
【００３８】
次いで、上記のように構成された無線通信システムにおける無線通信方法について、図６に示すシーケンス図を参照しながら説明する。図６は、無線端末装置２００ａが無線端末装置２００ｂとのＤ２Ｄ通信を要求する場合の無線通信方法を示すシーケンス図である。
【００３９】
無線端末装置２００ａにおいて無線端末装置２００ｂとのＤ２Ｄ通信の開始が要求される場合、無線端末装置２００ａのＤ２Ｄ要求生成部２２１によってＤ２Ｄ要求が生成される。そして、Ｄ２Ｄ要求は、セルラ通信によって無線端末装置２００ｂ及び基地局装置１００へ送信される（ステップＳ１０１、Ｓ１０２）。なお、図６において、無線端末装置２００ａから無線端末装置２００ｂへＤ２Ｄ要求が送信されているが（ステップＳ１０１）、このＤ２Ｄ要求は、基地局装置１００を介するセルラ通信によって送信される。
【００４０】
基地局装置１００へ送信されたＤ２Ｄ要求は、基地局装置１００のＤ２Ｄ要求取得部１２２によって取得され、ＧＰ決定部１２３によって、Ｄ２Ｄ通信を許可するＧＰが決定される（ステップＳ１０３）。Ｄ２Ｄ通信を許可するＧＰの決定にあたっては、他にもＤ２Ｄ通信を実行する無線端末装置があるか否かや、Ｄ２Ｄ通信によって伝送されるデータ量などが考慮されても良い。
【００４１】
Ｄ２Ｄ通信を許可するＧＰが決定されると、許可情報生成部１２４によって許可情報が生成され、Ｄ２Ｄ要求の送信元の無線端末装置２００ａへ許可情報が送信される（ステップＳ１０４）。また、Ｄ２Ｄ通信の通信相手となる無線端末装置２００ｂに対しても、許可情報が送信される（ステップＳ１０５）。なお、許可情報は、セルラ通信によって無線端末装置２００ａ、２００ｂへ送信される。
【００４２】
許可情報がそれぞれ無線端末装置２００ａ、２００ｂによって受信されると、無線端末装置２００ａ、２００ｂの許可情報取得部２２３によって許可情報が取得される。そして、タイミング制御部２２４によって、Ｄ２Ｄ通信が許可されたタイミングが待機される。この間、基地局装置１００を介するセルラ通信は、無線端末装置２００ａ、２００ｂの通信制御部２２２及び無線通信部２１０によって、通常通り実行される（ステップＳ１０６、Ｓ１０７）。
【００４３】
そして、Ｄ２Ｄ通信が許可されたＧＰが到来すると、無線端末装置２００ａ、２００ｂのＤ２Ｄ通信部２４０によって、Ｄ２Ｄ通信が実行される（ステップＳ１０８）。Ｄ２Ｄ通信は、許可されたＧＰが継続する間実行され、ＧＰが終了する際には一度中断される。そして、再度許可されたＧＰが到来すると、中断されたＤ２Ｄ通信が再開される。このようなＤ２Ｄ通信により、セルラ通信に対して干渉を与えずに比較的低容量の通信が可能となる。このため、例えば店舗などにおいて不特定多数の無線端末装置へ広告情報を配信したり、主たる無線端末装置から複数の従たる無線端末装置に対して制御情報を送信したりする一対多通信を効率的に実行することができる。
【００４４】
以降、無線端末装置２００ａ、２００ｂは、セルラ通信を実行しつつ、Ｄ２Ｄ通信が許可されたＧＰではＤ２Ｄ通信を実行する。そして、Ｄ２Ｄ通信を終了する際には、無線端末装置２００ａは、Ｄ２Ｄ通信の終了通知を通信相手の無線端末装置２００ｂへ送信する（ステップＳ１０９）。終了通知は、Ｄ２Ｄ通信によって送信されても良く、基地局装置１００を介したセルラ通信によって送信されても良い。また、無線端末装置２００ａは、Ｄ２Ｄ通信の終了通知を基地局装置１００にも送信する（ステップＳ１１０）。これにより、基地局装置１００は、終了通知受信後のＧＰを他の無線端末装置によるＤ２Ｄ通信に割り当てることが可能となる。
【００４５】
次に、Ｄ２Ｄ通信を実行する際の無線端末装置２００における通信制御方法について、図７に示すフロー図を参照しながら説明する。
【００４６】
無線端末装置２００においては、例えばユーザの操作やアプリケーションからの指示によりＤ２Ｄ通信の開始が要求されるか否かが監視される（ステップＳ２０１）。Ｄ２Ｄ通信の要求が発生すると（ステップＳ２０１Ｙｅｓ）、Ｄ２Ｄ要求生成部２２１によって、Ｄ２Ｄ通信の開始を要求する旨のＤ２Ｄ要求が生成される。そして、Ｄ２Ｄ要求は、無線通信部２１０を経由して、セルラ通信により基地局装置１００へ送信される（ステップＳ２０２）。
【００４７】
送信されたＤ２Ｄ要求は、基地局装置１００によって受信され、ＧＰ決定部１２３によって、Ｄ２Ｄ通信が許可されるＧＰが決定される。そして、決定されたＧＰの情報を含む許可情報が、セルラ通信によって基地局装置１００から無線端末装置２００へ送信される。基地局装置１００から送信された許可情報は、無線通信部２１０によって受信され（ステップＳ２０３）、許可情報取得部２２３によって取得される。そして、許可情報は、タイミング制御部２２４へ出力され、タイミング制御部２２４によって、Ｄ２Ｄ通信のタイミングが制御される。
【００４８】
具体的には、タイミング制御部２２４によって、ＴＤＤを採用するセルラ通信のサブフレーム配置の情報が参照され、スペシャルサブフレームのＧＰの位置が特定される。そして、特定されたＧＰのうち、許可情報によってＤ２Ｄ通信が許可されたＧＰが到来したか否かが判定される（ステップＳ２０４）。この判定の結果、許可されたＧＰが到来していない場合には（ステップＳ２０４Ｎｏ）、Ｄ２Ｄ通信の開始が待機される（ステップＳ２０６）。したがって、たとえＧＰが到来しても、Ｄ２Ｄ通信が許可されていないＧＰが到来した場合には、Ｄ２Ｄ通信は開始されずＤ２Ｄ通信部２４０は動作しない。
【００４９】
一方、許可情報によってＤ２Ｄ通信が許可されたＧＰが到来した場合には（ステップＳ２０４Ｙｅｓ）、タイミング制御部２２４からの指示により、Ｄ２Ｄ通信部２４０によってＤ２Ｄ通信が実行される（ステップＳ２０５）。すなわち、ＧＰが継続する間、Ｄ２Ｄ通信部２４０によって、基地局装置１００を介さずに通信相手の無線端末装置と直接無線通信が実行される。このとき、Ｄ２Ｄ通信に用いられる周波数帯や送信電力などは、許可情報によって指定されても良い。
【００５０】
ＧＰを用いたＤ２Ｄ通信が開始されると、無線端末装置２００においては、Ｄ２Ｄ通信の終了が要求されるか否かが監視される（ステップＳ２０７）。そして、Ｄ２Ｄ通信の終了が要求されない間は（ステップＳ２０７Ｎｏ）、タイミング制御部２２４からの指示により、Ｄ２Ｄ通信部２４０によるＤ２Ｄ通信が継続される。すなわち、許可情報によって複数のＧＰによるＤ２Ｄ通信が許可されている場合には、周期的に到来する複数のＧＰにおいて、Ｄ２Ｄ通信が繰り返して実行される。
【００５１】
そして、例えばユーザの操作やアプリケーションからの指示によりＤ２Ｄ通信の終了が要求されると（ステップＳ２０７Ｙｅｓ）、Ｄ２Ｄ通信部２４０によるＤ２Ｄ通信又は無線通信部２１０によるセルラ通信によって、通信相手の無線端末装置にＤ２Ｄ通信の終了が通知される。同時に、無線通信部２１０によるセルラ通信によって、基地局装置１００にＤ２Ｄ通信の終了が通知される。これにより、無線端末装置２００によるＤ２Ｄ通信が終了する（ステップＳ２０８）。
【００５２】
以上のように、本実施の形態によれば、無線端末装置によるＤ２Ｄ通信を許可するＧＰを基地局装置において決定し、無線端末装置は、許可されたＧＰを用いて他の無線端末装置とＤ２Ｄ通信を実行する。このため、セルラ通信の上り回線及び下り回線のいずれの信号も送信されないＧＰの期間にＤ２Ｄ通信が実行され、Ｄ２Ｄ通信によるセルラ通信への干渉を抑制することができる。また、無線端末装置それぞれにＧＰが割り当てられるため、Ｄ２Ｄ通信間の干渉を抑制することができる。
【符号の説明】
【００５３】
１１０  ネットワークＩ／Ｆ
１２０、２２０  プロセッサ
１２１、２２２  通信制御部
１２２  Ｄ２Ｄ要求取得部
１２３  ＧＰ決定部
１２４  許可情報生成部
１３０、２３０  メモリ
１４０、２１０  無線通信部
２２１  Ｄ２Ｄ要求生成部
２２３  許可情報取得部
２２４  タイミング制御部
２４０  Ｄ２Ｄ通信部
【図１】
2018038013.tif 000003
【図２】
2018038013.tif 000004
【図３】
2018038013.tif 000005
【図４】
2018038013.tif 000006
【図５】
2018038013.tif 000007
【図６】
2018038013.tif 000008
【図７】
2018038013.tif 000009